(57)【要約】【課題】カッタロッドの直径寸法より大きい切断刃を有する平板状の可動刃が取り付けられている切断装置において、この可動刃の割れ破壊を防止することができる切断装置を提供すること。【解決手段】可動刃７のカッタロッド４の太径部４０ｂより外方へ突出した部分７ｂに、太径部４０ｂの外周と同一半径寸法からなる湾曲内周面７ｃを形成し、可動刃７をカッタロッド４の平面部４０ｃに当接させると共に湾曲内周面７ｃをカッタロッド４の太径部４０ｂ外周に嵌合させた状態で取り付け、突出した部分７ｂに作用する外力を、カッタロッド４の外周で支持する。【選択図】　図１
2004066429.tif 000002
【特許請求の範囲】
【請求項１】
往復動する円柱状カッタロッドの先端部に平面部を形成し、その平面部にカッタロッドの直径より大きい切断刃を有する平板状の可動刃を取り付け、前記可動刃を固定刃に対し摺動させて部材を切断する切断装置において、前記カッタロッドの先端部は細径部と太径部とからなり、細径部に前記平面部が形成され、前記可動刃にはカッタロッドの太径部より外方へ突出した部分に太径部の外周と同一半径寸法からなる湾曲内周面が形成され、前記可動刃がカッタロッドの平面部に当接されると共に湾曲内周面をカッタロッドの外周に嵌合した状態で取り付けられていることを特徴とする切断装置。
【請求項２】
可動刃には一対の湾曲内周面が形成され、可動刃はその切断刃の中心位置がカッタロッドの軸心と一致して取り付けられていることを特徴とする請求項１記載の切断装置。
【発明の詳細な説明】
【０００１】
【発明の属する技術分野】
本発明は、金属製の板材あるいは丸棒などを切断する切断装置に係わり、とりわけ可動刃の取り付け構造に特徴を有する切断装置に関する。
【０００２】
【従来の技術】
固定刃に対し、往復動するロッドの先端に取り付けられた可動刃を摺動させて、金属製の部材を切断する装置は、多方面で使用されている。
【０００３】
図６は、従来の切断装置の一実施例を示す断面図である。この切断装置６０は、装置本体６１に固定された平板状の固定刃６２に対し、往復動するカッタロッド６３の先端部に取り付けた平板状の可動刃６４を摺動させ、金属製丸棒Ｐ等の部材を切断するものである。
【０００４】
この実施例として示された切断装置６０は、丸棒のみならず比較的幅寸法のある金属製の板状部材も切断可能とされたものであり、可動刃６４はカッタロッド６３の直径より大きい寸法の切断刃６４ａを有している。
【０００５】
可動刃６４は、カッタロッド６３の先端部を軸線方向に削って形成された平面部に当接され、ボルト６５により取り付け固定されている。
【０００６】
カッタロッド６３は、高圧パイプ６６を通して供給された高圧油により前進移動され、可動刃６４が固定刃６２に対し摺動することにより、丸棒Ｐ等の部材が切断される。
【０００７】
【発明が解決しようとする課題】
しかしながら、この構造の切断装置においては、カッタロッド６３の外径より突出している切断刃６４ａの形成された可動刃６４の部分６４ｂは、図６に示すように、この突出した部分６４ｂのみで丸棒Ｐを切断する際には、大きな曲げモーメントを受けることとなり、突出部分６４ｂが、カッタロッド６３との取り付け部分から割れ破壊を生ずることがあった。
【０００８】
本発明はこのような問題を解決するためになされたものであり、カッタロッドの直径寸法より大きい切断刃を有する平板状の可動刃が取り付けられている切断装置において、この可動刃の割れ破壊を防止することができる切断装置を提供することを目的とする。
【０００９】
【課題を解決するための手段】
本発明は、上記目的を解決するために、往復動する円柱状カッタロッドの先端部に平面部を形成し、その平面部にカッタロッドの直径より大きい切断刃を有する平板状の可動刃を取り付け、前記可動刃を固定刃に対し摺動させて部材を切断する切断装置において、前記カッタロッドの先端部は細径部と太径部とからなり、細径部に前記平面部が形成され、前記可動刃にはカッタロッドの太径部より外方へ突出した部分に太径部の外周と同一半径寸法からなる湾曲内周面が形成され、前記可動刃がカッタロッドの平面部に当接されると共に湾曲内周面をカッタロッドの外周に嵌合した状態で取り付けられていることを特徴としている。
【００１０】
また本発明は、可動刃に一対の湾曲内周面が形成され、可動刃はその切断刃の中心位置がカッタロッドの軸心と一致して取り付けられていることを特徴としている。
【００１１】
本発明によれば、カッタロッドから突出した可動刃部分に作用した外力を、平面部だけでなくカッタロッドの外周でも支持することができ、突出した可動刃部分の割れ破壊を防止することができる。
【００１２】
【発明の実施の形態】
以下、図面を参照して本発明の実施の形態について説明する。
【００１３】
図１は、本発明による切断装置の一実施形態を示す断面図である。また図２は、図１に示す切断装置の上面図である。
【００１４】
図において符号１は、装置本体であり、この装置本体１の一端に平板状の固定刃２が取り付け固定されている。
【００１５】
装置本体１の他端には、ピストンシリンダ部３が設けられ、このピストンシリンダ部３内にカッタロッド４が往復動可能に挿入されている。カッタロッド４は、高圧パイプから供給される高圧油により前進移動され、前進移動した後は、ピストンシリンダ部３内に装着された戻しバネ６により後退移動されるようになっている。
【００１６】
ピストンシリンダ部３から突出したカッタロッドの先端部４０は、図３に示すように、細径部４０ａと太径部４０ｂとからなり、細径部４０ａには、その一部を軸線方向に削って平面部４０ｃが形成されている。この平面部４０ｃには、後述するように可動刃を取り付けるための貫通孔４０ｄが形成されている。符号４０ｅは、細径部４０ａと太径部４０ｂとの段差部に形成された平らな壁部である。
【００１７】
図４は、可動刃７を示す外観斜視図である。可動刃７は、平板状をしており、一端に切断刃７ａが形成されている。この可動刃７の切断刃７ａの長さは、カッタロッド４の太径部４０ｂより大きく、この大きい部分７ｂの後端部に、太径部４０ａの外周と同一半径の寸法からなる湾曲内周面７ｃが形成されている。
【００１８】
この湾曲内周面７ｃは、可動刃７をカッタロッド４の平面部４０ｃに当接した際、湾曲内周面７ｃがカッタロッド４の太径部４０ｂの外周に嵌合する形状寸法とされている。
【００１９】
また、本実施の形態では、切断刃７ａの中心位置を間にして一対の湾曲内周面７ｃが形成されている。
【００２０】
可動刃７の平面部には、前記カッタロッドの細径部４０ｃに設けられた貫通孔４０ｄと対応する位置にねじ孔７ｄが設けられている。また、一対の湾曲内周面７ｃの間は、垂直壁面７ｅとなっている。
【００２１】
図５は、このような構造からなる可動刃７をカッタロッド４に取り付けた状態を示す斜視図である。
【００２２】
可動刃７は、細径部４０ａを貫通して挿入されたボルト８を、ねじ孔７ｄにねじ込むことによりカッタロッドの先端部４０に取り付け固定される。この場合、太径部４０ｂから外方へ突出した部分７ｂは、その湾曲内周面７ｃが太径部４０ｂの外周に嵌合し、かつ可動刃７の垂直壁面７ｅは、カッタロッド先端部４０の平らな壁部４０ｅに当接している。
【００２３】
このような構成からなる本発明の実施態様による切断装置１０は、高圧パイプ５から供給された高圧油によりカッタロッド４が前進し、可動刃７と固定刃２とが摺動することにより、金属製板状部材Ｂあるいは丸棒部材Ｐを切断する。
【００２４】
例えば、図１に示すように、カッタロッド４の外径より突出している部分７ｂで丸棒部材Ｂを切断した場合、この部分７ｂに大きな曲げモーメントが作用するが、このモーメントは、湾曲内周面７ｃによりカッタロッド太径部４０ｂの外周面で支持される。これにより、突出している部分７ｂの負荷能力が向上し、割れ破壊することが防止される。またこの負荷能力は、垂直壁面７ｅと平らな壁部４０ｅを当接させることにより、さらに向上させることができる。
【００２５】
なお、本実施の態様では、可動刃７を、その切断刃７ａの中心位置がカッタロッド４の軸心と一致するように取り付け、カッタロッド４の外径より突出する部分７ｂが二つあるような例を示したが、突出する部分７ｂが一方側のみの場合であっても同様の効果を奏する。
【００２６】
【発明の効果】
以上述べたように、本発明によれば、可動刃には、カッタロッドの太径部より外方へ突出した部分に太径部の外周と同一半径寸法からなる湾曲内周面が形成され、前記可動刃がカッタロッドの平面部に当接されると共に湾曲内周面をカッタロッドの外周に嵌合された状態で取り付けられているので、外方へ突出した部分に大きな外力が作用した場合でも十分にこの外力を支持することができ、突出部分の割れ破壊を防止することができる。
【００２７】
本発明は、自動車事故で運転者がブレーキペダルあるいはアクセルペダルに足を挟まれたような場合に、このペダルを切断して救助する際などに使用する緊急救助用機器など、比較的幅のある平板状部材や丸棒などを切断する切断装置として用いる場合、特に優れた効果を奏する。
【図面の簡単な説明】
【図１】本発明の一実施態様を示す断面図。
【図２】図１に示す切断装置の上面図。
【図３】カッタロッドの先端部を示す側面図。
【図４】可動刃の一実施例を示す斜視図。
【図５】可動刃をカッタロッド先端部に取り付けた状態を示す斜視図。
【図６】従来の切断装置の一実施例を示す断面図。
【符号の説明】
１　装置本体
２　固定刃
３　ピストンシリンダ
４　カッタロッド
５　高圧パイプ
６　戻しバネ
７　可動刃
７ａ　切断刃
７ｂ　突出部分
７ｃ　湾曲内周面
１０　切断装置
４０　カッタロッドの先端部
４０ａ　細径部
４０ｂ　太径部
４０ｃ　平面部
【図１】
2004066429.tif 000003
【図２】
2004066429.tif 000004
【図３】
2004066429.tif 000005
【図４】
2004066429.tif 000006
【図５】
2004066429.tif 000007
【図６】
2004066429.tif 000008